(57)【要約】【課題】各種電子機器の遠隔操作に用いられるリモコン送信機に関し、構成部品の位置ズレがなく、より確実な操作が可能なものを提供することを目的とする。【解決手段】上下面に上配線基板１１と下配線基板１２を装着したホルダー１３の上下面に、位置決めボス１３Ｂと１３Ｃを設けると共に、これらを上配線基板１１とケース１５の位置決め孔１１Ｂと１５Ｂ、及び下配線基板１２の位置決め孔１２Ｂに挿入することによって、ホルダー１３を介して上配線基板１１とケース１５、及び下配線基板１２の位置決めを行うことができるため、構成部品の位置ズレがなく、より確実な操作が可能なリモコン送信機を得ることができる。【選択図】図１
2005303431.tif 000002
【特許請求の範囲】
【請求項１】
上下面に上配線基板と下配線基板を装着したホルダーと、上記上配線基板または下配線基板に形成されたスイッチ接点、及びこのスイッチ接点の操作に応じてリモコン信号を送信する制御回路と、上記上配線基板やホルダーを収納し、上記下配線基板とネジにより固定されたケースからなり、上記ホルダーの上下面に位置決めボスを設けると共に、この位置決めボスを上記上配線基板と下配線基板、及びケースの位置決め孔に挿入したリモコン送信機。
【請求項２】
上下面に上配線基板と下配線基板を装着したホルダーと、上記上配線基板または下配線基板に形成されたスイッチ接点、及びこのスイッチ接点の操作に応じてリモコン信号を送信する制御回路と、上記上配線基板やホルダーを収納し、上記下配線基板とネジにより固定されたケースからなり、上記ケース下面に位置決めボスを設けると共に、この位置決めボスを上記上配線基板と下配線基板の位置決め孔に挿入したリモコン送信機。
【発明の詳細な説明】
【技術分野】
【０００１】
本発明は、テレビやビデオ、エアコン等の各種電子機器の遠隔操作に用いられるリモコン送信機に関するものである。
【背景技術】
【０００２】
近年、リモコン送信機によるテレビやビデオ、エアコン等の各種電子機器の遠隔操作が一般的に行われるなか、リモコン送信機にも、より確実な操作が可能なものが求められている。
【０００３】
このような従来のリモコン送信機について、図４及び図５を用いて説明する。
【０００４】
図４は従来のリモコン送信機の断面図、図５は同分解斜視図であり、同図において、１は上下面に複数の配線パターン（図示せず）が形成された上配線基板、２は同じく下配線基板、３は絶縁樹脂製のホルダーで、上下面に突出した複数の爪部３Ａによって、上配線基板１と下配線基板２がホルダー３の上下面に装着されている。
【０００５】
そして、４はゴム等の操作体で、上配線基板１上面に載置され、略ドーム状の複数の操作部４Ａ下面に形成された可動接点４Ｂが、上配線基板１上面に形成された複数の固定接点１Ａと所定の間隙を空け、対向してスイッチ接点が形成されている。
【０００６】
また、上配線基板１や下配線基板２には、発光ダイオード５Ａやマイコン５Ｂ等の電子部品が実装され、これらによってリモコン信号を送信する制御回路５が形成されると共に、上配線基板１にはコネクタ６が、下配線基板２には上下左右に操作可能な多方向操作スイッチ７が実装されている。
【０００７】
さらに、８は絶縁樹脂製で略箱型のケースで、このケース８内に上配線基板１やホルダー３、操作体４等が収納されると共に、下配線基板２が複数のネジ９によってケース８に固定され、ケース８上面の複数の開口孔からは、多方向操作スイッチ７に装着されたツマミ７Ａや操作体４の操作部４Ａが上方へ突出している。
【０００８】
また、ホルダー３下面に突出形成された位置決めボス３Ｂが、下配線基板２の位置決め孔２Ａに挿入されると共に、ケース８下面に突出形成された位置決めボス８Ａが、上配線基板１の位置決め孔１Ｂに挿入されて、ホルダー３と下配線基板２、及びケース８と上配線基板１の各々の位置決めが行われて、リモコン送信機が構成されている。
【０００９】
以上の構成において、このリモコン送信機を電子機器に向け、例えば、電源用や音量切換用等の所定の操作部４Ａを押圧操作すると、この操作部４Ａ下面の可動接点４Ｂが固定接点１Ａに接触してスイッチ接点の電気的接離が行われ、これに対応した赤外線のリモコン信号が制御回路５から電子機器へ送信されて、電子機器の電源の入／切や音量の増減等が遠隔操作によって行われる。
【００１０】
また、テレビ等の画面に複数のメニューやカーソルが表示された状態で、リモコン送信機を電子機器に向け、ツマミ７Ａを上下左右に揺動操作すると、多方向操作スイッチ７が操作されて、これに対応した赤外線のリモコン信号が制御回路５から送信され、画面のメニュー上をカーソルが上下左右に移動して、メニューの選択等が行われるように構成されているものであった。
【００１１】
なお、この出願の発明に関連する先行技術文献情報としては、例えば、特許文献１が知られている。
【特許文献１】特開平３−１７３１９８号公報
【発明の開示】
【発明が解決しようとする課題】
【００１２】
しかしながら、上記従来のリモコン送信機においては、位置決めボス３Ｂと位置決め孔２Ａによってホルダー３と下配線基板２、位置決めボス８Ａと位置決め孔１Ｂによってケース８と上配線基板１の位置決めは行われているが、ケース８と下配線基板２の位置決めは行われていないため、ネジ９によって下配線基板２をケース８に固定する際、これらの位置がズレた状態でネジ９が締められると、下配線基板２に装着された部品、例えば多方向操作スイッチ７に装着されたツマミ７Ａの位置ズレが生じ、甚だしい場合にはツマミ７Ａ外周がケース８上面の開口孔に接触して、スイッチ操作に支障をきたす場合があるという課題があった。
【００１３】
本発明は、このような従来の課題を解決するものであり、構成部品の位置ズレがなく、より確実な操作が可能なリモコン送信機を提供することを目的とする。
【課題を解決するための手段】
【００１４】
上記目的を達成するために本発明は、以下の構成を有するものである。
【００１５】
本発明の請求項１に記載の発明は、上下面に上配線基板と下配線基板を装着したホルダーの上下面に位置決めボスを設けると共に、この位置決めボスを上配線基板と下配線基板、及びケースの位置決め孔に挿入してリモコン送信機を構成したものであり、ホルダー上下面の位置決めボスによって、ホルダーを介して上配線基板と下配線基板、及びケースの位置決めを行うように構成されているため、構成部品の位置ズレがなく、より確実な操作が可能なリモコン送信機を得ることができるという作用を有する。
【００１６】
請求項２に記載の発明は、下配線基板とネジにより固定されるケース下面に位置決めボスを設けると共に、この位置決めボスを上配線基板と下配線基板の位置決め孔に挿入してリモコン送信機を構成したものであり、ケース下面の位置決めボスによって、ケースに対する上配線基板と下配線基板の位置決めを行うように構成されているため、構成部品の位置ズレがなく、より確実な操作が可能なリモコン送信機を得ることができるという作用を有する。
【発明の効果】
【００１７】
以上のように本発明によれば、構成部品の位置ズレがなく、より確実な操作が可能なリモコン送信機を実現することができるという有利な効果が得られる。
【発明を実施するための最良の形態】
【００１８】
以下、本発明の実施の形態について、図１〜図３を用いて説明する。
【００１９】
なお、背景技術の項で説明した構成と同一構成の部分には同一符号を付して、詳細な説明を簡略化する。
【００２０】
（実施の形態１）
実施の形態１を用いて、本発明の特に請求項１記載の発明について説明する。
【００２１】
図１は本発明の第１の実施の形態によるリモコン送信機の断面図、図２は同分解斜視図であり、同図において、１１は紙フェノールやガラス入りエポキシ等の上配線基板、１２は同じく下配線基板、１３はポリスチレンやＡＢＳ等の絶縁樹脂製のホルダーで、上配線基板１１と下配線基板１２の上下面には複数の配線パターン（図示せず）が形成されると共に、ホルダー１３上下面に突出した複数の爪部１３Ａによって、上配線基板１１と下配線基板１２がホルダー１３の上下面に装着されている。
【００２２】
そして、１４はシリコンゴムやエラストマー等の操作体で、上配線基板１１上面に載置され、略ドーム状の複数の操作部１４Ａ下面に形成された可動接点１４Ｂが、上配線基板１１上面に形成された複数の固定接点１１Ａと所定の間隙を空け、対向してスイッチ接点が形成されている。
【００２３】
また、上配線基板１１や下配線基板１２には、発光ダイオード５Ａやマイコン５Ｂ等の電子部品が実装され、これらによってリモコン信号を送信する制御回路５が形成されると共に、上配線基板１１にはコネクタ６が、下配線基板１２には上下左右に操作可能な多方向操作スイッチ７が実装されている。
【００２４】
さらに、１５は絶縁樹脂製で略箱型のケースで、このケース１５内に上配線基板１１やホルダー１３、操作体１４等が収納されると共に、下配線基板１２が複数のネジ９によってケース１５に固定され、ケース１５上面の複数の開口孔からは、多方向操作スイッチ７に装着されたツマミ７Ａや操作体１４の操作部１４Ａが上方へ突出している。
【００２５】
また、ホルダー１３の上下面には、突出した位置決めボス１３Ｂと１３Ｃが設けられると共に、上面の位置決めボス１３Ｂは上配線基板１１とケース１５の位置決め孔１１Ｂと１５Ｂに、下面の位置決めボス１３Ｃは下配線基板１２の位置決め孔１２Ｂに挿入されて、各々の構成部品の位置決めが行われている。
【００２６】
つまり、ホルダー１３の上下面の位置決めボス１３Ｂと１３Ｃによって、ホルダー１３を介して上配線基板１１とケース１５、及び下配線基板１２の位置決めを行い、これらの構成部品の位置ズレが生じないようにして、リモコン送信機が構成されている。
【００２７】
以上の構成において、このリモコン送信機を電子機器に向け、例えば、電源用や音量切換用等の所定の操作部１４Ａを押圧操作すると、この操作部１４Ａ下面の可動接点１４Ｂが固定接点１１Ａに接触してスイッチ接点の電気的接離が行われ、これに対応した赤外線のリモコン信号が制御回路５から電子機器へ送信されて、電子機器の電源の入／切や音量の増減等が遠隔操作によって行われる。
【００２８】
また、テレビ等の画面に複数のメニューやカーソルが表示された状態で、リモコン送信機を電子機器に向け、ツマミ７Ａを上下左右に揺動操作すると、多方向操作スイッチ７が操作されて、これに対応した赤外線のリモコン信号が制御回路５から送信され、画面のメニュー上をカーソルが上下左右に移動して、メニューの選択等が行われるように構成されている。
【００２９】
このように本実施の形態によれば、上下面に上配線基板１１と下配線基板１２を装着したホルダー１３の上下面に、位置決めボス１３Ｂと１３Ｃを設けると共に、これらを上配線基板１１とケース１５の位置決め孔１１Ｂと１５Ｂ、及び下配線基板１２の位置決め孔１２Ｂに挿入することによって、ホルダー１３を介して上配線基板１１とケース１５、及び下配線基板１２の位置決めを行うことができるため、構成部品の位置ズレがなく、より確実な操作が可能なリモコン送信機を得ることができるものである。
【００３０】
（実施の形態２）
実施の形態２を用いて、本発明の特に請求項２記載の発明について説明する。
【００３１】
なお、実施の形態１の構成と同一構成の部分には同一符号を付して、詳細な説明を省略する。
【００３２】
図３は本発明の第２の実施の形態によるリモコン送信機の断面図であり、同図において、上配線基板２１と下配線基板２２がホルダー２３の上下面に装着されていることや、操作体２４の操作部２４Ａ下面の可動接点２４Ｂと、上配線基板２１上面の固定接点２１Ａによって、複数のスイッチ接点が形成されていることは実施の形態１の場合と同様である。
【００３３】
また、上配線基板２１や下配線基板２２に、発光ダイオード５Ａやマイコン５Ｂ等の電子部品が実装されて制御回路５が形成されていることや、上配線基板２１にコネクタ６が、下配線基板２２には多方向操作スイッチ７が実装されていること、ケース２５内に上配線基板２１やホルダー２３、操作体２４等が収納されていることも実施の形態１の場合と同様である。
【００３４】
さらに、下配線基板２２が複数のネジ９によってケース２５に固定され、ケース２５上面の複数の開口孔からは、多方向操作スイッチ７に装着されたツマミ７Ａや操作体２４の操作部２４Ａが、上方へ突出していることも実施の形態１の場合と同様であるが、ケース２５下面には下方へ突出する位置決めボス２５Ｂが設けられている。
【００３５】
そして、この位置決めボス２５Ｂが上配線基板２１と下配線基板２２の位置決め孔２１Ｂと２２Ｂに挿入されて、各々の構成部品の位置決めが行われている。
【００３６】
つまり、ケース２５下面の位置決めボス２５Ｂによって、ケース２５に対する上配線基板２１と下配線基板２２の位置決めを行い、これらの構成部品の位置ズレが生じないようにして、リモコン送信機が構成されている。
【００３７】
以上の構成において、このリモコン送信機を電子機器に向け、操作部２４Ａやツマミ７Ａを操作すると、これらに対応した赤外線のリモコン信号が制御回路５から電子機器へ送信されて、電子機器の遠隔操作が行われることは実施の形態１の場合と同様である。
【００３８】
このように本実施の形態によれば、下配線基板２２とネジ９により固定されるケース２５下面に位置決めボス２５Ｂを設けると共に、この位置決めボス２５Ｂを上配線基板２１と下配線基板２２の位置決め孔２１Ｂと２２Ｂに挿入してリモコン送信機を構成することによって、ケース２５に対する上配線基板２１と下配線基板２２の位置ズレがなく、より確実な操作が可能なリモコン送信機を得ることができるものである。
【００３９】
なお、以上の説明では、操作部１４Ａや２４Ａ下面の可動接点１４Ｂや２４Ｂと、上配線基板１１や２１上面の固定接点１１Ａや２１Ａが所定の間隙で対向して構成されたスイッチ接点について説明したが、上配線基板１１や２１上面にプッシュスイッチを実装し、これを操作体１４や２４によって押圧操作する構成等、様々な構成のスイッチ接点においても本発明の実施は可能である。
【産業上の利用可能性】
【００４０】
本発明によるリモコン送信機は、構成部品の位置ズレがなく、より確実な操作が可能なものを得ることができ、各種電子機器の遠隔操作等に有用である。
【図面の簡単な説明】
【００４１】
【図１】本発明の第１の実施の形態によるリモコン送信機の断面図
【図２】同分解斜視図
【図３】本発明の第２の実施の形態によるリモコン送信機の断面図
【図４】従来のリモコン送信機の断面図
【図５】同分解斜視図
【符号の説明】
【００４２】
５  制御回路
５Ａ  発光ダイオード
５Ｂ  マイコン
６  コネクタ
７  多方向操作スイッチ
７Ａ  ツマミ
９  ネジ
１１，２１  上配線基板
１１Ｂ，１２Ｂ，１５Ｂ，２１Ｂ，２２Ｂ  位置決め孔
１１Ａ，２１Ａ  固定接点
１２，２２  下配線基板
１３，２３  ホルダー
１３Ａ  爪部
１３Ｂ，１３Ｃ，２５Ｂ  位置決めボス
１４，２４  操作体
１４Ａ，２４Ａ  操作部
１４Ｂ，２４Ｂ  可動接点
１５，２５  ケース
【図１】
2005303431.tif 000003
【図２】
2005303431.tif 000004
【図３】
2005303431.tif 000005
【図４】
2005303431.tif 000006
【図５】
2005303431.tif 000007